(57)【要約】【課題】この発明は天板の支持高さを変えることができるようにしたテーブル装置を提供することにある。【解決手段】脚体１に一端を回動可能に連結して所定間隔で設けられほぼ垂直に起立した状態から同方向に倒伏可能な一対の可動部材４ａ，４ｂと、一対の可動部材の他端が回動可能に連結されこれら可動部材が起立した状態ではこれら可動部材によって第１の高さで支持され倒伏した状態では脚体によって第１の高さよりも低い第２の高さで支持される主天板６と、一端が一方の可動部材に連結され他端が脚体に連結されていて、伸長することで可動部材をほぼ垂直に起立した状態で保持し縮小することでほぼ水平に倒伏させるガススプリング１２と、主天板の下面側に設けられガススプリングの作動を操作する操作レバーとを具備する。【選択図】      図１
2005052477.tif 000002
【特許請求の範囲】
【請求項１】
脚体と、
この脚体に一端を回動可能に連結して所定間隔で設けられほぼ垂直に起立した状態から同方向に倒伏可能な一対の可動部材と、
一対の可動部材の他端に回動可能に連結されこれら可動部材が起立した状態ではこれら可動部材と上記脚体とによって第１の高さで支持され倒伏した状態では上記脚体によって上記第１の高さよりも低い第２の高さで支持される主天板と、
一端が一方の可動部材に連結され他端が上記脚体に連結されていて、伸長することで上記可動部材をほぼ垂直に起立させて倒伏不能に保持し縮小することで上記可動部材をほぼ水平に倒伏させるガススプリングと、
上記主天板の下面側に設けられ上記ガススプリングの作動を操作する操作部と
を具備したことを特徴とするテーブル装置。
【請求項２】
上記可動部材を倒伏方向に回動させたときにその回動方向に移動する上記主天板の移動方向後端には補助天板が回動可能に連結されていて、この補助天板は上記主天板を第１の高さから第２の高さに変位させたときに上記移動方向後端に連結された一方の可動部材の上面に重合して上記主天板と同じ平面を形成することを特徴とする請求項１記載のテーブル装置。
【発明の詳細な説明】
【技術分野】
【０００１】
この発明は天板の支持高さを変えることができるテーブル装置に関する。
【背景技術】
【０００２】
テーブル装置は天板を有し、この天板は脚体によって所定の高さで支持される。通常、天板の支持高さは、利用者が椅子に座った状態で利用するのに丁度よい高さに設定されている。つまり、洋室用として使い勝手がよい高さになっている。
【０００３】
テーブル装置は洋室だけでなく、たとえば和室などでは洋室用に比べて脚体が短いテーブル装置が座卓として使用される。つまり、和室などで利用する場合には、天板の高さは利用者が畳などに座った状態で使い易いよう、洋室用に比べて十分に低い高さになっている。一般的に、洋室用のテーブル装置は天板の高さが７０ｃｍ程度であり、和室用の場合には３５ｃｍ程度である。
【発明の開示】
【発明が解決しようとする課題】
【０００４】
このように、洋室用と和室用とのテーブル装置では天板の高さが大きく異なる。そのため、１つのテーブル装置を両方に兼用することは難しい。そこで、洋室と和室とでそれぞれテーブル装置を必要とする場合には、各部屋で使用することができる、異なる高さの２つのテーブル装置を用意しなければならない。
【０００５】
しかしながら、２つのテーブル装置を用意しておくということは不経済であるばかりか、不使用時に室内空間を占有するため、邪魔になるということもある。
【０００６】
この発明は使用する場所などに応じて天板を支持する高さを変えることができるようにしたテーブル装置を提供することにある。
【課題を解決するための手段】
【０００７】
この発明は、脚体と、
この脚体に一端を回動可能に連結して所定間隔で設けられほぼ垂直に起立した状態から同方向に倒伏可能な一対の可動部材と、
一対の可動部材の他端に回動可能に連結されこれら可動部材が起立した状態ではこれら可動部材と上記脚体とによって第１の高さで支持され倒伏した状態では上記脚体によって上記第１の高さよりも低い第２の高さで支持される主天板と、
一端が一方の可動部材に連結され他端が上記脚体に連結されていて、伸長することで上記可動部材をほぼ垂直に起立させて倒伏不能に保持し縮小することで上記可動部材をほぼ水平に倒伏させるガススプリングと、
上記主天板の下面側に設けられ上記ガススプリングの作動を操作する操作部と
を具備したことを特徴とするテーブル装置にある。
【０００８】
上記可動部材を倒伏方向に回動させたときにその回動方向に移動する上記主天板の移動方向後端には補助天板が回動可能に連結されていて、この補助天板は上記主天板を第１の高さから第２の高さに変位させたときに上記移動方向後端に連結された一方の可動部材の上面に重合して上記主天板と同じ平面を形成することが好ましい。
【発明の効果】
【０００９】
この発明によれば、ガススプリングによって可動部材を起立状態で保持したり、倒伏状態で保持することで、主天板を異なる高さで支持することができるから、使用する場所が洋室或いは和室のどちらであっても、その使用場所に応じて主天板の支持高さを変えて使用することができる。
【発明を実施するための最良の形態】
【００１０】
以下、この発明の一実施の形態を図面を参照して説明する。
【００１１】
図１（ａ）〜（ｃ）に示すテーブル装置は脚体１を備えている。この脚体１は逆Ｔ字状の一対の脚部材２を有する。一対の脚部材２は、所定間隔で平行に離間した帯板状の一対の連結部材３の一端と他端とに連結されている。
【００１２】
所定間隔で離間した一対の脚部材２の上端にはそれぞれ可動部材４ａ，４ｂの一端（下端）が第１のヒンジ５によって回動可能に連結されている。一対の可動部材４は、図１（ａ）に示すように脚部材２上でほぼ垂直に起立した状態から、図１（ｂ）に矢印Ｘで示す方向へ倒伏可能となっている。
【００１３】
一対の可動部材４ａ，４ｂの他端（上端）は、図２に示すように矩形状の主天板６の所定方向である、長手方向一端と他端との下面にそれぞれ第２のヒンジ７によって回動可能に連結されている。主天板６の長手方向一端には、図３に示すように主天板６に比べて長さ寸法の短い補助天板８の一端が第３のヒンジ９によって回動可能に連結されている。補助天板８は、一対の可動部材４ａ，４ｂがほぼ垂直に起立した状態において、一方の可動部材４ａの外面に一方の側面を接触させてほぼ垂直になるよう連結され、この状態から後述するように主天板６と同一平面をなす状態に回動可能となっている。
【００１４】
図２に示すように、一方の可動部材４ａの内面の高さ方向中途部には一対の連結片１１が設けられている。この連結片１１にはロック付きのガススプリング１２を構成するシリンダ１２ａの末端が回動可能に連結されている。ガススプリング１２のロッド１２ｂの先端には取付け具１３が設けられている。この取付け具１３は、図３に示すように一対の連結部材３間の長手方向中途部がピン１３ａによって回動可能に連結されている。
【００１５】
上記取付け具１３にはレバー１４の一端がピン１５によって回動可能に取り付けられている。このレバー１４の中途部は上記ロッド１２ｂの先端面から突出したロックボタン１６に対向し、他端には操作ワイヤ１７の一端が連結されている。この操作ワイヤ１７は可撓性のチューブ１８に挿通されている。このチューブ１８の一端は上記ロッド１２ｂの先端に上記取付け具１３とともに取り付けられたクランク状の第１の保持具１９に固定されている。
【００１６】
上記チューブ１８は一方の可動部材４ａの内面から主天板６の下面に導かれ、他端はこの主天板６の幅方向一端部の下面に形成された凹部２１（図３に示す）に設けられたＬ字状の第２の保持具２２（図４（ａ）に示す）の一辺に固定されている。
【００１７】
上記凹部２１には操作部を構成する操作レバー２３が上記第２の保持具２２の他辺にガイドピン２４によってスライド可能に保持されている。この操作レバー２３には上記チューブ１８の他端から導出された操作ワイヤ１７の他端が連結されている。
【００１８】
上記操作レバー２３をスライドさせて操作ワイヤ１７を引くと、この操作ワイヤ１７が連結されたレバー１４がピン１５を支点として回動するから、ロックボタン１６が押圧される。それによって、ガススプリング１２のロック状態が解除されてロッド１２ｂがシリンダ１２ａから突出する方向に付勢される。
【００１９】
ロッド１２ｂがシリンダ１２ａから突出してガススプリング１２が図２に実線で示すように伸長すると、一方の可動部材４ａが起立方向に付勢されて一方の脚部材２の上端でほぼ垂直に起立する。一方の可動部材４ａが起立すると、この一方の可動部材４ａに他方の可動部材４ｂが主天板６を介して連動してほぼ垂直に起立する。
【００２０】
それによって、主天板６は一対の脚部材２と可動部材４ａ，４ｂとがなす高さ、たとえば利用者が椅子（図示せず）に座って食事などをするのに丁度よい高さ、つまり洋室で使用するのに適した約７０ｃｍの高さで支持される。このとき、補助天板８は一方の可動部材４ａの外面に一側面を接触させている。
【００２１】
上記操作レバー２３を操作して操作ワイヤ１７を引いた状態で、主天板６をガススプリング１２の付勢力に抗して七雨下方に押圧し、図１（ｂ）に矢印Ｙで示す方向に移動させると、ガススプリング１２が図２に鎖線で示すように縮小し、一対の可動部材４ａ，４ｂが同図に矢印Ｘで示す方向に倒伏する。一対の可動部材４ａ，４ｂがほぼ水平に倒伏すると、図２に鎖線で示すように一方の可動部材４ａの外面と他方の可動部材４ｂの内面に主天板６の下面が接触し、この主天板６がほぼ脚部材２の高さ、たとえば和室で使用するに丁度よい約３５ｃｍの高さで水平に保持される。
【００２２】
一対の可動部材４ａ，４ｂをほぼ水平に倒伏させたならば、その状態で操作レバー２３空手を離せば、ロック付きのガススプリング１２は縮小状態でロックされるから、主天板６を可動部材４ａ，４ｂが倒伏した高さで確実に保持することができる。
【００２３】
一対の可動部材４ａ，４ｂを倒伏方向に回動させることで、主天板６が図１（ｂ）に示すように矢印Ｙ方向に移動しながら高さが低くなると、この主天板６の移動方向後端に連結された補助天板８が一方の可動部材４ａとともに回動する。そのため、可動部材４ａが水平に倒伏すると、補助天板８はこの可動部材４ａの上面に重合して水平に倒伏し、主天板６と同一平面を形成するから、これら主天板６と補助天板８とがなす面をテーブル面として利用することができる。
【００２４】
このように、この発明のテーブル装置によれば、一対の可動部材４ａ，４ｂをガススプリング１２の付勢力によって起立させて保持すれば、主天板６を脚体１と可動部材４ａ，４ｂとがなす、約７０ｃｍの高さ、つまり和室で使用するのに丁度よい高さで支持することができる。
【００２５】
上記ガススプリング１２のロック状態を解除して一対の可動部材４ａ，４ｂを倒伏させれば、上記主天板６を和室で利用するのに丁度よい、約３５ｃｍ程度の高さで支持することができる。しかも、このとき主天板６の一端に連結された補助天板８が主天板６と同一平面をなす。そのため、テーブル面として利用することができる面積を長く拡大することができるから、テーブル装置の利用可能な人数を増やすことができる。たとえば、洋室で利用する場合には４人であっても、和室では６人で利用することが可能となる。
【００２６】
このように、上記構成のテーブル装置によれば、主天板６の高さを変えることができるため、洋室と和室のいずれであっても、その場所に適した高さで使用することが可能となる。
【００２７】
しかも、ガススプリング１２のロック状態を解除することで主天板６の高さを変更することができるから、その高さ変更の操作を容易に行うことができるばかりか、ガススプリング１２の操作を解除してロック状態とすることで、主天板６を所定の高さに確実に支持することができる。
【００２８】
この発明は上記一実施の形態に限定されず、種々変形可能である。たとえば、上記一実施の形態では主天板の一端に補助天板を回動可能に連結し、主天板の高さを低くしたときに補助天板を主天板と面一にしてこれらの面をテーブル面として利用できるようにしたが、補助天板はなくても差し支えない。
【００２９】
その場合、主天板の高さを低くするとき、主天板は脚体に対して所定方向に位置がずれて脚体の一端部が主天板から露出することになる。したがって、主天板の長さ寸法を脚体の長さ寸法に対して十分に長くすれば、主天板の高さを低くすることで主天板が脚体に対して長さ方向に位置がずれても、脚体の長手方向の一端部が主天板から露出するのを防止することができる。
【図面の簡単な説明】
【００３０】
【図１】この発明の一実施の形態を示し、（ａ）は可動部材を起立させて天板を支持した斜視図、（ｂ）は可動部材が起立状態と倒伏状態との間の倒伏にある斜視図、（ｃ）は可動部材を倒伏させた状態の斜視図。
【図２】テーブル装置の天板の長手方向に沿う断面図。
【図３】テーブル装置の天板の幅方向に沿う断面図。
【図４】（ａ）はガススプリングのシリンダ先端部分の拡大図、（ｂ）は主天板の下面に設けられる操作ワイヤと操作レバーの連結構造の側面図。
【符号の説明】
【００３１】
１…脚体、４ａ，４ｂ…可動部材、６…主天板、８…補助天板、１２…ガススプリング、２３…操作レバー（操作部）。
【図１】
2005052477.tif 000003
【図２】
2005052477.tif 000004
【図３】
2005052477.tif 000005
【図４】
2005052477.tif 000006